(57)【特許請求の範囲】
【請求項１】
ケース本体と、該ケース本体に開閉自在に取着され所定個所に係止片を設けた蓋体と、ケース本体に装着された蓋体の係止機構とを備えたコンパクトであって、
係止機構が、ケース本体に配設された係止部材と、ケース本体に摺動自在に装着された押え部材とからなり、
係止部材が、フックと傾斜面を有する案内と底部を係合面とした案内孔とを具え、
押え部材が、押え板と押え板下端から連設された摺動板とを具え、押え板裏面に、先端に作動片を取着した可撓板を突設し、摺動板の先端に両側端から延び、案内孔の係合面に接合する弾性部材を連設したことを特徴とするコンパクトの蓋係止機構。
【発明の詳細な説明】
【０００１】
【発明の属する技術分野】
本発明は、コンパクト、とくにコンパクトの蓋係止機構に関する。
【０００２】
【従来の技術】
コンパクトの蓋の係止機構として種々の機構があるが、その一つとして、図６に示すような係止機構が知られている。
図において、Ａａはケース本体、Ｂａは蓋体、Ｃａはケース本体Ａａの所定個所に装着された蓋体の係止機構である。
【０００３】
係止機構Ｃａは、ケース本体Ａａに配設され、フック４０と案内４１を具えた係止部材４２と、ケース本体Ａａに摺動自在に装着された押え部材４３とからなっており、押え部材４３は、押え板４４と摺動板４５と側板とを有しており、押え板４４の裏面中間部には、作動片４６を取着した可撓板４７が突設されている。
蓋体Ｂａには、前記係止部材４２のフック４０に係合するフック５０を設けた係止片５１が立設されている。
【０００４】
蓋体Ｂａの閉蓋時には、蓋体Ｂａのフック５０がケース本体Ａａのフック４０に係合し、押え部材４３は後退した位置にあって、作動片４６の上面が蓋体Ｂａの係止片５１下面に接合し、作動片４６の下面端縁が係止部材４２の案内４１の傾斜面に接合する状態になっている。
開蓋時に、指先で押え部材４３を押すと、作動片４６が案内４１の傾斜面に沿って上昇し、作動片４６の上面が蓋体Ｂａの係止片５１を押し上げ、フック５０をケース本体Ａａのフック４０から外すようにしている。
そして、指先を離したときに押え部材４３が後退して元の位置に戻るようになっている。
【０００５】
【発明が解決しようとする課題】
しかしながら、押え部材４３の後退は、可撓板４７の復元力によって作動片４６の端縁が案内４１に押圧され、傾斜面の方向に働く分力によって下降するだけであるから、下降がスムーズに行われず、押え部材４３の後退復元に時間がかかり、時には完全に戻らない場合もあるという問題があった。
【０００６】
本発明は、上記問題点を解決することを技術的課題とし、押え部材がスムーズに後退復元するようにしたコンパクトの蓋係止機構を提供することを目的とする。
【０００７】
【課題を解決するための手段】
本発明は、上記の技術的課題を達成するため、コンパクトの蓋係止機構として、ケース本体と、該ケース本体に開閉自在に取着され所定個所に係止片を設けた蓋体と、ケース本体に装着された蓋体の係止機構とを備えたコンパクトであって、係止機構が、ケース本体に配設された係止部材と、ケース本体に摺動自在に装着された押え部材とからなり、係止部材が、フックと傾斜面を有する案内と底部を係合面とした案内孔とを具え、押え部材が、押え板と押え板下端から連設された摺動板とを具え、押え板裏面に、先端に作動片を取着した可撓板を突設し、摺動板の先端に両側端から延び、案内孔の係合面に接合する弾性部材を連設したことを特徴とする構成を採用する。
【０００８】
【発明の実施の形態】
次に、本発明の実施形態について、図面を参照して説明する。
図１，２において、Ａはケース本体、Ｂは蓋体、Ｃはケース本体Ａに装着された蓋体の係止機構である。
【０００９】
ケース本体Ａは、底板１と周壁２とからなり、内部には上端にフランジ３を設けた化粧料の収納枠４が嵌挿されている。
周壁２およびフランジ３には、切欠部５が設けられており、該切欠部５に対向する反対側周壁には、軸ピンを枢支する突出片６が設けられ、蓋体Ｂを開閉自在として枢支している。
【００１０】
係止機構Ｃは、ケース本体Ａに配設された係止部材１０と、係止部材１０と共働する押え部材２０とからなっており、切欠部５内に配設されている。
図３に示すように、切欠部５は、周壁の切欠端面１１と底面１２とを有し、収納枠４に接して係止部材１０が連設されている。
【００１１】
係止部材１０は、上端に設けたフック１３とその下方に設けた案内１４とを具え、該案内１４は、下端を突出端１５ａとした傾斜面１５と該突出端１５ａから水平に延びる下面１６とを有している。
案内１４の下には、下面１６と底面１２に連続し、底部を係合面１７ａとした案内孔１７が穿設されている。
前記底面１２の両側には、切欠端面１１に沿って案内溝１８が穿設されており、底面１２の外端１９は、周壁２の外周より引き込んだ位置に位置している。
【００１２】
前記切欠部５には、押え部材２０が嵌挿されている。
図４に示すように、押え部材２０は、押え板２１と、該押え板２１の両側に設けた側板２２と押え板２１下端に連設された摺動板２３とを有している。
押え板２１の裏面中間部には、水平方向に延びる可撓板２４が突設されており、その先端には、作動片２５が取着されている。
【００１３】
側板２２の下面には、案内溝１８に嵌挿される突起２６が設けられており、摺動板２３の先端には、両側端から内方に延びる直線縁と傾斜縁とを有する薄肉の屈曲板２７ａ，ｂと、該屈曲板２７ａ，ｂの双方の端部を結ぶ薄肉の接合板２８とからなる弾性部材２９が連設されている。
【００１４】
押え部材２０の装着時には、摺動板２３がケース本体Ａの底面１２で支持され、案内１４の下面１６との間で摺動可能となっており、弾性部材２９の接合板２８は、案内孔１７底部の係合面１７ａに接合するようになっている。
押え部材２０の後退時には、側板２２に下面に設けた突起２６によって後退位置が規制されるようになっている。
【００１５】
図１，２に示すように、蓋体Ｂは、一側に前記ケース本体Ａの軸ピンに枢支される取付片３０が設けられており、反対側には、係止片３１が垂設されている。
係止片３１は、下端は平坦な係止面３２となっており、その端縁には内方に突出し、ケース本体Ａのフック１３に係合するフック３３が設けられている。
蓋体Ｂの内面には、鏡３４が装着されている。
【００１６】
次に、係止機構Ｃの作用について説明する。
蓋体Ｂを廻動押圧すると、蓋体Ｂのフック３３が、ケース本体Ａのフック１３に係合し、閉蓋される。
その際、押え部材２０は、その押え板２１が外方の後退位置に位置し、押え板２１周面は、周壁２周面と一致した状態にある。
【００１７】
蓋体Ｂを開くときには、押え板２１を指先で押すと、作動片２５が案内１４の傾斜面１５に沿って上昇し、蓋体Ｂの係止片３１の係止面３２に係合し、係止片３１を押し上げ、フック３３がフック１３を乗り越えるようにして係合を外し、蓋体Ｂを開く。
その際、図５に示すように、可撓板２４と作動片２５とは接続部２５ａで屈曲され、可撓板２４は全体にわたって湾曲される。
また、摺動板２３先端に連接した弾性部材２９の接合部２８は、案内孔１７の係合面１７ａに圧接され、屈曲板２７ａ，ｂは撓んで変形される。
【００１８】
押え板２１から指先をはなすと、可撓板２４と作動片２５および可撓板２４の湾曲が復元されることによって、その復元力によって端縁２５ｂを傾斜面１５に押しつけ、作動片２５を後退させるように作用し、さらに、弾性部材２９の屈曲板２７が復元され、バネ作用によって、押え板２１が外方に押し出され、元の後退位置に戻される。
蓋体Ｂを閉じたときには、フック１３がフック３３を乗り越えて押し込まれ、閉蓋状態が維持されることになる。
【００１９】
上記実施形態では、コンパクトを円形のコンパクトとしているが、コンパクトの形状については円形に限定されず、楕円形、角形のコンパクトであってもよいことはいうまでもない。
【００２０】
【発明の効果】
本発明は、上記のように構成されているから、次の効果を奏する。
押え部材の摺動板の先端にバネ作用を有する弾性部材を連接し、ケース本体に係合するようにしたので、押え部材の押圧を解いたときに、作動片を取着した可撓板の復元とともに弾性部材のバネ作用によって、押え部材が後退位置にスムーズに、確実に戻されるようになった。
【図面の簡単な説明】
【図１】コンパクトの一部断面正面図である。
【図２】蓋を開いたコンパクトの平面図である。
【図３】ケース本体の係止部材を説明する図で、（ａ）は平面図、（ｂ）は断面正面図、（ｃ）は左側面図である。
【図４】押え部材を示す図で、（ａ）は平面図、（ｂ）は断面正面図、（ｃ）は右側面図である。
【図５】開蓋時の係止機構の作用を説明する図で、（ａ）は開蓋時の係止機構の状態を示す説明図、（ｂ）は弾性部材の作用説明図である。
【図６】従来の係止機構の説明図である。
【符号の説明】
Ａ，Ａａ          ケース本体
Ｂ，Ｂａ          蓋体
Ｃ，Ｃａ          係止機構
１０，４２          係止部材
１３，３３，４０，５０    フック
１４，４１          案内
１５                傾斜面
２０，４３          押え部材
２１，４４          押え板
２３，４５          摺動板
２４，４７          可撓板
２５，４６          作動片
２７ａ，ｂ          屈曲板
２８                接合板
２９                弾性部材
３１，５１          係止片
【図１】
0003808188.tif 000002
【図２】
0003808188.tif 000003
【図３】
0003808188.tif 000004
【図４】
0003808188.tif 000005
【図５】
0003808188.tif 000006
【図６】
0003808188.tif 000007